(57)【要約】【課題】リール全体の大型化を招くことなく内部電源及び外部電源を必要に応じて使い分けることができるワカサギ釣り用電動リールを提供する。【解決手段】本発明のワカサギ釣り用電動リールは、リール本体５に回転可能に支持されるスプール３４と、リール本体に設けられる竿装着部２７と、スプール３４に対して動力伝達可能に係合される電動モータ４４と、電動モータ４４に電力を直接的又は間接的に供給するための給電手段７８，７９を着脱自在に収容するための収容部Ｓを画定するとともに、給電手段７８，７９と電動モータ４４とを電気的に接続するための電極端子７３，７４を有する内部電源ハウジング７１とを備える。内部電源ハウジング７１は、外部電源を電動モータ４４に電気的に接続するための外部接続端子１００を有する。【選択図】  図１０
2019030240.tif 000002
【特許請求の範囲】
【請求項１】
リール本体と、
前記リール本体に回転可能に支持され、釣糸が巻回されるスプールと、
前記リール本体に設けられ、釣竿が装着可能な竿装着部と、
その出力軸が前記スプールに対して動力伝達可能に係合される電動モータと、
前記リール本体内に設けられ、前記電動モータに電力を直接的又は間接的に供給するための給電手段を着脱自在に収容するための収容部を画定するとともに、前記給電手段と前記電動モータとを電気的に接続するための電極端子を有する内部電源ハウジングと、
を備え、
前記内部電源ハウジングは、外部電源を前記電動モータに電気的に接続するための外部接続端子を有することを特徴とするワカサギ釣り用電動リール。
【請求項２】
前記収容部は、前記電動モータに電力を直接的に供給するための給電手段及び間接的に供給するための給電手段を選択的に着脱自在に収容できることを特徴とする請求項１に記載のワカサギ釣り用電動リール。
【請求項３】
前記電極端子が前記外部接続端子を兼ねることを特徴とする請求項１又は請求項２に記載のワカサギ釣り用電動リール。
【請求項４】
前記電極端子は、前記給電手段を介して外部電源を前記電動モータに電気的に接続することを特徴とする請求項３に記載のワカサギ釣り用電動リール。
【請求項５】
前記給電手段は、外部電源の電圧を降圧して前記電動モータに印加するための変圧器であることを特徴とする請求項４に記載のワカサギ釣り用電動リール。
【請求項６】
前記リール本体の外枠を形成するとともに、前記リール本体に着脱自在な外装部材を更に備え、この外装部材に前記変圧器が一体に設けられることを特徴とする請求項５に記載のワカサギ釣り用電動リール。
【請求項７】
前記外装部材は、前記内部電源ハウジングの前記収容部を外部に対して閉じるためのカバー部材であることを特徴とする請求項６に記載のワカサギ釣り用電動リール。
【請求項８】
前記リール本体には、前記カバー部材と、前記給電手段としてバッテリーが収容された状態の前記収容部を外部に対して閉じるための更なるカバー部材とを交換可能に着脱できることを特徴とする請求項７に記載のワカサギ釣り用電動リール。
【請求項９】
前記給電手段がバッテリーであることを特徴とする請求項１から３のいずれか一項に記載のワカサギ釣り用電動リール。
【請求項１０】
前記電動モータの正逆回転駆動によって前記スプールが正逆回転されて前記スプールに対して釣糸が巻き取られ及び／又は繰り出されることを特徴とする請求項１から９のいずれか一項に記載のワカサギ釣り用電動リール。
【発明の詳細な説明】
【技術分野】
【０００１】
本発明は、釣糸が巻回されるスプールを電動モータにより回転駆動させるワカサギ釣り用電動リールに関する。
【背景技術】
【０００２】
近年、結氷した湖の上で行なうワカサギの穴釣りやワカサギのボート釣り等においては、常時釣り竿を手で保持せずにリールに短い釣り竿を取り付け、台の上に載置した状態で釣りを行なうことができる電動リールが提案されている（例えば、特許文献１参照）。  
このようなワカサギ釣り用電動リールは、リール本体に釣竿を直接に装着でき（竿装着部を有する）、電動モータの出力軸がスプールに対して動力伝達可能に係合される（電動モータの出力軸が例えばスプールの回転軸と直交した状態でスプールの側面に対して係脱可能に当て付けられることによって電動モータからスプールへの動力の伝達が継脱される）とともに、ギアによる変速を行なうことなく電動モータに対する印加電圧を制御することによりその回転速度及びトルクが変えられるという特徴を有する点で、その他の魚釣用電動リールとは一線を画される。
【先行技術文献】
【特許文献】
【０００３】
【特許文献１】特開２０１０−１２４７８９号
【発明の概要】
【発明が解決しようとする課題】
【０００４】
ところで、ワカサギは、群れで回遊しており、一般に朝方及び夕方に活性が良くなって餌を活発に追う一方で、昼間は食い鈍ることが多いものの、一日を通して十分な釣果を上げるためには、昼間も常に仕掛けの上げ下げを繰り返して魚を誘い続ける必要があり、このことは時として電動リールの絶え間ない駆動を必要とする。
【０００５】
そのため、電池を内部電源として駆動するワカサギ釣り用電動リールでは、電池の蓄電量が消費電力に追い付かず、電池交換を余儀なくされるか、電池を持ち合わせていなければリールを使用できなくなる場合がある。
【０００６】
また、最近では、一般に、ユーザ（釣人）は、携帯電話などの充電のために外部電源を持ち歩くようになってきており、前述したような電池の消耗を考えると、電池のみならず、必要に応じてこのような外部電源からの電力供給によって電動リールを使用できることも求められる。
【０００７】
しかしながら、一般に、ワカサギ釣り用電動リールの電源仕様は通常の市販の外部電源に適合していない（市販の外部電源よりも仕様電圧が低い）場合が多いため、外部電源を利用して電動リールを作動させるためには、変圧器を用いて外部電源からの供給電圧を下げる（降圧する）必要もある。
【０００８】
そのような新たな構成要素である変圧器の付加は、変圧器を収容するための新たなスペースをリール本体に設けることを意味し、電動リールの大型化を招く結果となる。このことは、リール本体を容易に手で把持できるコンパクトさが求められるワカサギ釣り用電動リールにおいて決して望ましいことではない。
【０００９】
本発明は、上記した問題に着目してなされたものであり、リール全体の大型化を招くことなく内部電源及び外部電源を必要に応じて使い分けることができるワカサギ釣り用電動リールを提供することを目的とする。
【課題を解決するための手段】
【００１０】
上記目的を達成するために、本発明のワカサギ釣り用電動リールは、リール本体と、前記リール本体に回転可能に支持され、釣糸が巻回されるスプールと、前記リール本体に設けられ、釣竿が装着可能な竿装着部と、その出力軸が前記スプールに対して動力伝達可能に係合される電動モータと、前記リール本体内に設けられ、前記電動モータに電力を直接的又は間接的に供給するための給電手段を着脱自在に収容するための収容部を画定するとともに、前記給電手段と前記電動モータとを電気的に接続するための電極端子を有する内部電源ハウジングとを備え、前記内部電源ハウジングは、外部電源を前記電動モータに電気的に接続するための外部接続端子を有することを特徴とする。
【００１１】
上記構成のワカサギ釣り用電動リールは、内部電源ハウジングの収容部に収容される給電手段と電動モータとを電気的に接続するための電極端子に加え、外部電源を電動モータに電気的に接続するための外部接続端子を内部電源ハウジングに備えるため、内部電源と外部電源とを必要に応じて使い分けることができる。そのため、携帯電話などの充電のための外部電源や釣り場に備え付けのコンセント電源等を利用して電動リールを駆動させることもでき、したがって、長時間のモータ駆動操作による実釣で電源の残容量不足に遭遇しても、外部電源の使用によりリールを安心して長時間使用でき、一日を通して常に仕掛けの上げ下げを繰り返して魚を誘い続けることもできるようになる。
【００１２】
また、上記構成によれば、内部電源ハウジングの収容部は、電動モータに電力を直接的又は間接的に供給するための給電手段を着脱自在に収容するため、電動モータに電力を間接的に供給する例えば変圧器の収容にも対応できる。したがって、リールの電源仕様が通常の市販の外部電源に適合していない場合に外部電源を利用するべく変圧器を使用しなければならない場合であっても、変圧器を収容するための新たなスペースをリール本体に設けることなく、電動モータに電力を直接的に供給するためのバッテリーなどに代えて変圧器を収容部に収容できるため、リール全体の大型化を招くことがない。
【００１３】
特に、この場合、収容部が、電動モータに電力を直接的に供給するための給電手段及び間接的に供給するための給電手段を選択的に着脱自在に収容できるようになっていることで、リール全体の大型化を招くことなく収容部を用いた内部電源と外部電源との使い分けが可能になる。これにより、収容部は、内部電源及び外部電源の両方の使用を可能にする様々な給電手段の共用スペースとしての機能を果たすこともできるようになる。つまり、例えば直接的な給電手段としてバッテリーを使用する場合には、バッテリーを収容部に収容してバッテリーにより電動モータを駆動させればよく、必要に応じて外部電源を使用する場合には、外部接続端子に外部電源を接続するか或いは間接的な給電手段として変圧器を収容部内に収容して変圧器を介して外部電源により電動モータを駆動させることも可能になる。
【００１４】
また、間接的な給電手段として変圧器を収容部内に収容して変圧器を介して外部電源により電動モータを駆動させる場合には、内部電源ハウジングの電極端子が外部接続端子を兼ね、電極端子が給電手段を介して外部電源を電動モータに電気的に接続することが好ましい。
【００１５】
また、上記構成では、リール本体の外枠を形成するとともに、リール本体に着脱自在な外装部材が更に設けられ、この外装部材に、例えば内部電源ハウジングの収容部を外部に対して閉じるためのカバー部材に、変圧器が一体に設けられてもよい。更に、この場合、リール本体には、カバー部材と、給電手段としてバッテリーが収容された状態の収容部を外部に対して閉じるための更なるカバー部材とを交換可能に着脱できることが好ましい。このようにすると、電源として電池のみしか使用できない従来のワカサギ釣り用電動リールしか持ち合わせていないユーザが、カバー部材を交換するだけで外部電源を使用できるようにすることも可能になる。
【００１６】
また、以上のように外部電源を利用することによりリールを長時間使用できるようにすると、釣糸の巻き取り及び繰り出しを全て電動リールにより自動で行なわせても電源の残容量不足に陥ることを回避できる。つまり、外部電源の利用により、電動モータの正逆回転駆動によってスプールを正逆回転させてスプールに対して釣糸を巻き取り及び／又は繰り出す全自動形態が現実味を帯びてくる。
【００１７】
このように、釣糸の巻き取り及び繰り出しを全て自動で行なわせれば、仕掛けの上げ下げの度にスイッチ等の切り換え操作部材を介して動力の伝達及び遮断を切り換えるクラッチＯＮ／ＯＦＦ操作を絶えず繰り返すことによる疲労の蓄積も回避できる。また、このようにスプールからの釣糸の繰り出しも電動モータにより自動で行なうことができれば、電動モータの出力を制御してスプールの回転速度を制御することにより、バックラッシュを未然に防止できるとともに、仕掛けを急激に高速で群れの層まで落とさないように（魚の警戒心を煽らないように）釣糸繰り出し速度を調整することもでき、サミング操作を必要としない安定的な釣糸の繰り出しが可能となる。
【発明の効果】
【００１８】
本発明によれば、リール全体の大型化を招くことなく内部電源及び外部電源を必要に応じて使い分けることができるワカサギ釣り用電動リールが得られる。
【図面の簡単な説明】
【００１９】
【図１】本発明の一実施形態に係るワカサギ釣り用電動リールの概略的な斜視図である。
【図２】図１のワカサギ釣り用電動リールの概略的な平面図である。
【図３】収容部にバッテリーが収容された状態の図１のワカサギ釣り用電動リールの内部構造を概略的に示す断面図である。
【図４】リール本体からカバー部材を取り外して収容部からバッテリーを取り除いた状態の図１のワカサギ釣り用電動リールの内部構造を概略的に示す断面図である。
【図５】変圧器と一体のカバー部材をリール本体に取り付けようとしている状態の図１のワカサギ釣り用電動リールの内部構造を概略的に示す断面図である。
【図６】変圧器と一体のカバー部材をリール本体に取り付けて変圧器を収容部内に収容した状態の図１のワカサギ釣り用電動リールの内部構造を概略的に示す断面図である。
【図７】図１のワカサギ釣り用電動リールの電動モータの駆動系統を示す回路図である。
【図８】外部電源と電動モータとを電気的に接続するための接続形態を概略的に示すブロック図である。
【図９】カバー部材とは別体の変圧器を収容部内に収容してカバー部材をリール本体に取り付けようとしている状態の図１のワカサギ釣り用電動リールの内部構造を概略的に示す断面図である。
【図１０】給電手段を介すことなく外部電源を電動モータに電気的に接続するための一例を示す図１のワカサギ釣り用電動リールの内部構造を概略的に示す断面図である。
【発明を実施するための形態】
【００２０】
以下、添付図面を参照しながら、本発明に係るワカサギ釣り用電動リール（以下、単に魚釣用リールという）の一実施形態について具体的に説明する。
なお、本発明に係るワカサギ釣り用電動リールは、後述するようにリール本体に釣竿を直接に装着でき（竿装着部を有する）、電動モータの出力軸がスプールに対して動力伝達可能に係合される（電動モータの出力軸が例えばスプールの回転軸と直交した状態でスプールの側面に対して係脱可能に当て付けられることによって電動モータからスプールへの動力の伝達が継脱される）とともに、ギアによる変速を行なうことなく電動モータに対する印加電圧を制御することによりその回転速度及びトルクが変えられるという特徴を有する点で、その他の魚釣用電動リールとは一線を画される。
特に図１〜図３に示されるように、魚釣用リール４はリール本体５を備える。リール本体５は、その外郭を構成する筐体６を有する。筐体６は、例えばＡＢＳ樹脂、ポリカーボーネートのような合成樹脂材料により形成される。
【００２１】
筐体６は、やや湾曲した縦長の（前後方向に長い）箱体であり、図２に示されるように釣人が右手又は左手（図２では右手）で掴むことができる程度の大きさを有する。図３に示されるように、筐体６は、ロアケース７とトップカバー８とで構成される。
【００２２】
トップカバー８は、ネジ止め或いは嵌め込み等の手段によりロアケース７に固定されて、ロアケース７との間に電動モータ４４を収容するためのモータ収容室を画定する。更に、リール本体５内、本実施形態ではロアケース７には、電動モータ４４に電力を直接的又は間接的に供給するための給電手段を着脱自在に収容できる収容部Ｓを画定する内部電源ハウジング７１が設けられる。
【００２３】
この場合、電動モータ４４に電力を直接的に供給するための給電手段（第１の給電手段）としては、バッテリー（再充電可能なバッテリーや使い捨て乾電池等）７８（図３等参照）を挙げることができる。また、電動モータ４４に電力を間接的に供給するための給電手段（第２の給電手段）としては、外部電源８０(図８参照)の電圧（例えば５Ｖ）を（例えば３〜３．３Ｖまで）降圧して電動モータ４４に印加するための変圧器７９等（図５〜図９参照）を挙げることができる。なお、リール本体５、本実施形態ではロアケース７には、内部電源ハウジング７１の収容部Ｓ（本実施形態では、収容部Ｓを含めてモータ４４等を全体的に露出させるためのロアケース７の開口１０２）を外部に対して閉じるためのカバー部材７７が着脱自在に取り付けられるようになっている。このカバー部材７７は、リール本体５の外枠を形成するとともに、リール本体５に着脱自在な外装部材として形成される。
【００２４】
筐体６は、一対の脚１６を有する。脚１６は、例えば筐体６よりも柔らかいゴム状弾性体で形成される。脚１６は、ロアケース７の底壁に固定されるとともに、リール本体５の左右方向に互いに離間する。脚１６は、例えば氷結した湖面上に据え付けられる釣用の台の上にリール本体５を置いた際に、この台の上面に接触する接地部として機能する。
【００２５】
筐体６の前端部には合成樹脂製の支持台２６がネジ止め等により固定されており、この支持台２６は、釣竿４０が装着可能な竿装着部としての竿受け部２７と、スプール受け部２８とを備える。
【００２６】
竿受け部２７は、筐体６の前端の左右方向（前後方向に対して直交する幅方向）に沿う中央部に位置している。竿受け部２７は、筐体６の前方に向けて開口する支持孔２９を有するとともに、釣糸ガイド３０を支持する。釣糸ガイド３０は、竿受け部２７の上方に突出するように垂直に起立する待機位置と、この待機位置から筐体６の後方に倒れ込む動作位置との間で回動可能であり、通常は待機位置に保持されている。また、支持台２６のスプール受け部２８は、トップカバー８の開口部２１の下方で水平に配置されている。
【００２７】
ロアケース７の底壁の軸支部１３にはスプール軸３３が支持される。スプール軸３３は、ロアケース７の底壁から垂直に起立するとともに、スプール受け部２８を貫通してスプール受け部２８の上に突出する。スプール軸３３の上部には合成樹脂材又は金属材製のスプール３４が回転可能に支持される。スプール３４は、リール本体５の前部において、リール本体５の上面の前方側の左右方向の中央部に位置する。なお、スプール３４の直ぐ後側には、筐体６の上面（トップカバー８上）に位置して、液晶表示装置９０（図１〜図３参照）が設けられる。また、液晶表示装置９０の近傍には、電動モータ４４の各種制御モードを選択できる操作スイッチ８２，８４が設けられる。
【００２８】
スプール３４は、釣糸が巻回される釣糸巻回胴部３６と、一対のフランジ３７ａ，３７ｂとを有しており、垂直なスプール軸３３を中心として回転する。フランジ３７ａ，３７ｂは、釣糸巻回胴部３６と同軸の円盤状を成すとともに、釣糸巻回胴部３６を間に挟んで上下方向に向かい合う。この場合、下側フランジ３７ｂがスプール受け部２８の上面に載置される。
【００２９】
スプール軸３３は、釣糸巻回胴部３６を同軸状に貫通して上側フランジ３７ａの上に突出する。スプール軸３３の上端には袋ナット３８がねじ込まれる。袋ナット３８は、前述したスプール受け部との間でスプール３４を挟み込んでおり、これにより、スプール３４がリール本体５の前部に回転自在に支持される。なお、スプール３４は、トップカバー８の開口部２１の内側に位置する。
【００３０】
図３に示されるように、竿受け部２７の支持孔２９には釣竿４０が嵌め込まれるようになっている。釣竿４０は、例えば全長が１５ｃｍ程度の短いものでよく、リール本体５の前端から前方に向けて水平に突き出る。
【００３１】
釣竿４０の外周面には複数の釣糸ガイド（図示せず）が取り付けられる。これらの釣糸ガイドは、釣竿４０の長手方向に間隔を存して一列に設けられる。スプール３４から繰り出された釣糸は、リール本体５の釣糸ガイド３０から釣竿４０の釣糸ガイドを経由して釣竿４０の先端に導かれた後、釣竿４０の先端から例えば湖面に開けた穴を通じて水中へ導かれる。
【００３２】
トップカバー８とロアケース７との間に形成される前述したモータ収容室内の電動モータ４４は、電気的制御により正逆回転可能になっており、ステータ及びロータを収容するモータハウジング（図示せず）と、このモータハウジングの前端から突出する金属製の出力軸４６とを有する。電動モータ４４は、出力軸４６を筐体６の前後方向に沿わせた横置きの姿勢でスプール３４の後方に設置される。
【００３３】
電動モータ４４の出力軸４６は、スプール軸３３の直後に位置するとともに、このスプール軸３３と直交するような位置関係を保っている。出力軸４６の前端部は、スプール３４の下側フランジ３７ｂの下方に位置する。
【００３４】
出力軸４６の外周には円筒状のトルク伝達部材４７が取り付けられる。トルク伝達部材４７は、例えばスプール３４よりも柔らかい合成樹脂材又はゴム状弾性体により形成される。図３に示される状態では、トルク伝達部材４７の外周面がスプール３４の下側フランジ３７ｂの下面に接している。
【００３５】
電動モータ４４のモータハウジング（したがって、電動モータ４４）は、図示しないピボット軸を支点として、図３に示される水平な第１の位置と、前方下方に傾斜する第２の位置（図示せず）との間で回動可能となっている。第１の位置では、図３に示されるように電動モータ４４の出力軸４６が筐体６の前後方向に沿って水平に延びており、トルク伝達部材４７の外周面がスプール３４の下側フランジ３７ｂの下面に当接する。このように当接することにより、フランジ３７ｂとトルク伝達部材４７との当接部分に摩擦抵抗が付与され、電動モータ４４の出力軸４６とスプール３４との間が機械的に接続される。この結果、摩擦抵抗によりスプール３４の自由な回転が阻止される。この状態で更に電動モータ４４が正逆回転駆動されると、出力軸４６のトルクがトルク伝達部材４７を介してスプール３４に伝わり、スプール３４が釣糸を巻き取る方向又は釣糸を繰り出す方向に回転する。すなわち、この構成において、電動モータ４４は、その出力軸４６がスプール３４に対して動力伝達可能に係合されており、電動モータ４４の正逆回転駆動によってスプール３４が正逆回転されてスプール３４に対して釣糸が巻き取られ及び／又は繰り出される。
【００３６】
一方、第２の位置では、電動モータ４４の出力軸４６が前下がりとなって、トルク伝達部材４７の外周面がスプール３４の下側フランジ３７ｂの下面から離れる。これにより、電動モータ４４の出力軸４６とスプール３４との機械的な接続が解除され、トルク伝達部材４７とスプール３４との間に摩擦抵抗が付与されなくなる。そのため、スプール３４は、釣糸を巻き取る方向及び繰り出す方向の自由な回転が許容されるフリーな状態に移行する。
【００３７】
なお、電動モータ４４は、図示しない引っ張りコイルスプリングを介して常に第１の位置に向けて弾性的に付勢されている。したがって、モータ４４が第１の位置にある限り、トルク伝達部材４７の外周面がスプール３４の下側フランジ３７ｂの下面に弾性的に押し付けられる。
【００３８】
また、電動モータ４４（モータハウジング）の第１の位置と第２の位置との間の切り換えは、トップカバー８から突出して設けられる操作体２２（図３参照）によって行なわれる。この操作体２２は、その下端がトルク伝達部材４７と対向しており、下向きに押圧操作されることにより、トルク伝達部材４７とともに電動モータ４４の出力軸４６を下方に（第２の位置へ）に押圧する。これにより、電動モータ４４の出力軸４６とスプール３４との機械的な接続が解除される。また、操作体２２の押圧操作力を解除すると、前述した引っ張りコイルスプリングによる付勢力によって電動モータ４４が第１の位置へ復帰する。
【００３９】
前述したように、筐体６の内部電源ハウジング７１の収容部Ｓ内には、モータ４４の駆動用電源となる第１の給電手段としての例えば２本の乾電池７８及び第２の給電手段としての１つの変圧器７９を選択的に着脱自在に収容できる。図７に示されるように、乾電池７８又は変圧器７９の正極（以下、図７では、２本の乾電池７８に合わせて２つの正極及びそれに対応する２つのラインが部分的に示されるが、変圧器７９の場合には１つの正極及び１つのラインとなる）には内部電源ハウジング７１のプラス電極端子７３（図３参照）を介してそれぞれ正側電源ライン５３ａ，５３ｂ（変圧器６４の場合には１本の正側電源ライン５３）が接続される。正側電源ライン５３ａ，５３ｂは、正側共通電源ライン５４を介して電動モータ４４の正側端子に接続される。乾電池７８の負極には内部電源ハウジング７１のマイナス電極端子７４（図３参照）を介してそれぞれ負側電源ライン５５ａ，５５ｂ（変圧器６４の場合には１本の負側電源ライン５５）が接続される。負側電源ライン５５ａ，５５ｂは、負側共通電源ライン５６を介して電動モータ４４の負極端子に接続される。そのため、各電源ライン５３ａ，５３ｂ，５４，５５ａ，５５ｂ，５６は、電動モータ４４を乾電池７８に並列に接続する一つの電源回路５７を構成する。
【００４０】
正側電源ライン５３ａ，５３ｂと正側共通電源ライン５４との間には常開形の連続巻きスイッチ５８が接続される。一方の正側電源ライン５３ａと正側共通電源ライン５４との間には常開形の一時巻きスイッチ５９ａが接続される。
【００４１】
連続巻きスイッチ５８は、筐体６の内部に収容されるとともに、例えば筐体６の左右側壁にそれぞれ設けられる操作スイッチ７０，７２のうちのいずれか一方を長押し操作することによって開閉操作され、閉じられることにより電動モータ４４の連続駆動を可能にする。一方、一時巻きスイッチ５９ａは、例えば筐体６の下方に配置されるとともに、例えば筐体６の左右側壁にそれぞれ設けられる操作スイッチ７０，７２のうちのいずれか一方を長押しすることなく瞬間的な短い時間だけ押圧操作することによって開閉操作され、閉じられることにより電動モータ４４の寸動駆動を可能にする。
【００４２】
正側共通電源ライン５４には常閉形の船べり停止スイッチ６０が配置される。船べり停止スイッチ６０は、筐体６の前端に位置する前述した釣糸ガイドと対向する。船べり停止スイッチ６０は、前記釣糸ガイドが待機位置から動作位置に回動されたときに、釣糸ガイドによって開方向に操作される。
【００４３】
負側共通電源ライン５６には常開形のメインスイッチ６１が配置される。メインスイッチ６１は、筐体６の底壁の下方に露出されて釣人が手の指先で操作し得るようになっている。そのため、本実施形態では、メインスイッチ６１を閉じた状態で連続巻きスイッチ５８又は一時巻きスイッチ５９ａを閉じると、乾電池６２又は変圧器６４から電動モータ４４に電流が流れ、電動モータ４４が回転する。
【００４４】
前述したように、電動モータ４４のトルクは、出力軸４６からトルク伝達部材４７に伝わる。トルク伝達部材４７は、前述した引っ張りコイルスプリングの付勢力によりスプール３４のフランジ３７ｂの下面に押し付けられているため、トルク伝達部材４７とフランジ３７ｂとの間の接触部分に生じる摩擦力により電動モータ４４のトルクがスプール３４に伝わる。この結果、連続巻きスイッチ５８又は一時巻きスイッチ５９ａを閉じた場合、スプール３４は電動モータ４４のトルクを受けて連続的に又は断続的に釣糸巻き取り方向及び／又は操出方向に回転する。
【００４５】
また、本実施形態において、内部電源ハウジング７１は、外部電源８０（図８参照）を電動モータ４４に電気的に接続するための外部接続端子を更に有する。図３〜図６に示される構成形態では、電極端子７３，７４がこの外部接続端子を兼ねるが、後述する図１０の構成形態では、この外部接続端子（コネクタ）１００が電極端子７３，７４とは別個に設けられる。
【００４６】
電極端子７３，７４が外部接続端子を兼ねる図３〜図６に示される構成形態では、電極端子７３，７４が、第１の給電手段である乾電池（バッテリー）７８に代えて収容部Ｓ内に収容される第２の給電手段としての変圧器７９を介して外部電源８０を電動モータ４４に電気的に接続するようになっている。これに関連して、特に本実施形態では、収容部Ｓを外部に対して閉じるための前述したカバー部材７７と、変圧器７９が一体に設けられるカバー部材７７Ａ（図５及び図６参照）とをリール本体５に交換可能に着脱できるようになっている。
【００４７】
具体的には、まず、図３に示されるように、電動モータ４４に給電するための給電手段として乾電池（第１の給電手段）７８を使用している状態で、乾電池７８の残容量が尽きてしまったら、（無論、使用済みのこの乾電池７８を新しい乾電池と交換してもよいが）図４に示されるように、カバー部材７７をリール本体５側から取り外すとともに、内部電源ハウジング７１の収容部Ｓから乾電池７８を取り外し、続いて、図５に示されるように、変圧器７９が一体に設けられたカバー部材７７Ａをカバー部材７７に代えてリール本体５に取り付ける。
【００４８】
このとき、図６に示されるように、カバー部材７７Ａと一体の第２の給電手段である変圧器７９が内部電源ハウジング７１の収容部Ｓ内に収容される。これにより、例えば携帯電話などの充電のための外部電源８０（例えば５Ｖ電源）からＵＳＢ８１（図８参照）を介して（或いは釣り場に備え付けのコンセント電源等から直接に）給電ケーブル１０５により変圧器７９に供給される電力は、この変圧器７９によりその電圧が例えば３〜３．３Ｖまで降圧されて、内部電源ハウジング７１の電極端子７３，７４を介して電動モータ４４に供給される。
【００４９】
なお、この例では、変圧器７９がカバー部材７７Ａに一体に設けられているが、変圧器７９がカバー部材７７と別体を成し、図９に示されるようにこの別体の変圧器７９を内部電源ハウジング７１の収容部Ｓ内に収容した後に、カバー部材７７をリール本体５に取り付けて収容部Ｓを外部に対して閉じてもよい。この場合、例えばカバー部材７７に設けられる接続孔７７ａから外部に露出する変圧器の給電コネクタ１１２に対して外側から給電ケーブル１０５の先端の接続コネクタ１１０を電気的に着脱自在に接続してもよい。
【００５０】
一方、外部接続端子１００が電極端子７３，７４とは別個に設けられる図１０に示される構成形態において、外部接続端子としてのコネクタ１００は、そのプラス端子が正側電源ライン５３（図７参照）に電気的に接続されるとともに、そのマイナス端子が負側電源ライン５５（図７参照）に電気的に接続される。したがって、例えばリール本体５に設けられる接続孔５ａから外部に露出するコネクタ１００に対して外側から給電ケーブル１０５の先端の接続コネクタ１１０を電気的に着脱自在に接続すれば、例えばリール４の電源仕様に適合した外部電源からコネクタ１００を介して電動モータ４４に電力を供給できる。なお、この場合、カバー部材７７をリール本体５からわざわざ取り外して内部電源ハウジング７１の収容部Ｓから給電手段７８，７９を除去しなくても構わない。
【００５１】
以上説明したように、本実施形態のワカサギ釣り用電動リール４は、内部電源ハウジング７１の収容部Ｓに収容される給電手段７８（７９）と電動モータ４４とを電気的に接続するための電極端子７３，７４に加え、外部電源８０を電動モータ４４に電気的に接続するための外部接続端子７３，７４，１００を内部電源ハウジング７１に備えるため、内部電源と外部電源とを必要に応じて使い分けることができる。そのため、携帯電話などの充電のための外部電源や釣り場に備え付けのコンセント電源等を利用して電動リール４を駆動させることもでき、したがって、長時間のモータ駆動操作による実釣で電源の残容量不足に遭遇しても、外部電源８０の使用によりリール４を安心して長時間使用でき、一日を通して常に仕掛けの上げ下げを繰り返して魚を誘い続けることもできるようになる。
【００５２】
また、本実施形態によれば、内部電源ハウジング７１の収容部Ｓは、電動モータ４４に電力を直接的に供給するための給電手段に加えて電動モータ４４に電力を間接的に供給するための給電手段も着脱自在に収容するため、使い捨て乾電池等のバッテリー７８に加えて、変圧器７９の収容にも対応できる。したがって、リールの電源仕様が通常の市販の外部電源に適合していない場合に外部電源を利用するべく変圧器７９を使用しなければならない場合であっても、変圧器７９を収容するための新たなスペースをリール本体５に設けなくて済み、リール４全体の大型化を招くことがない。
【００５３】
また、本実施形態では、内部電源ハウジング７１の収容部Ｓを外部に対して閉じるだけにすぎない通常のカバー部材７７と、変圧器７９が一体に設けられたカバー部材７７Ａとをリール本体５に対して交換可能に着脱できるようになっているため、例えば、電源として電池のみしか使用できない従来のワカサギ釣り用電動リールしか持ち合わせていないユーザは、カバー部材を交換するだけで外部電源を使用できるようになる。
【００５４】
また、本実施形態のワカサギ釣り用電動リール４は、電動モータ４４の正逆回転駆動によってスプール３４が正逆回転されてスプール３４に対して釣糸が巻き取られ及び／又は繰り出されるようになっているため、仕掛けの上げ下げの度にスイッチ等の切り換え操作部材を介して動力の伝達及び遮断を切り換えるクラッチＯＮ／ＯＦＦ操作を絶えず繰り返すことによる疲労の蓄積を回避できる。また、このようにスプールからの釣糸の繰り出しも電動モータ４４により自動で行なうことができれば、電動モータの出力を制御してスプールの回転速度を制御することにより、バックラッシュを未然に防止できるとともに、仕掛けを急激に高速で群れの層まで落とさないように（魚の警戒心を煽らないように）釣糸繰り出し速度を調整することもでき、サミング操作を必要としない安定的な釣糸の繰り出しが可能となる。このような電動モータ４４による釣糸の繰り出しは、本実施形態のように外部電源を利用して電源が残容量不足に陥ることを回避できるようにすることにより容易に実現できるものである。
【００５５】
以上、図面を参照しながら本発明の一実施形態について説明してきたが、本発明は、前述した実施形態に限定されず、その要旨を逸脱しない範囲で種々変形して実施できる。例えば、前述した実施形態では、電動モータの正逆回転駆動によってスプールが正逆回転されてスプールに対して釣糸が巻き取られ及び／又は繰り出されるようになっているが、電動モータが正回転のみを行なうようになっていても構わない。また、電極端子及び外部接続端子と電動モータとの間の電気的な接続回路も前述した構成に限定されない。また、外部接続端子の位置や内部電源ハウジング７１の位置も前述した実施形態に限定されない。また、直接的又は間接的な給電手段も乾電池や変圧器に限定されない。
【符号の説明】
【００５６】
４  魚釣用リール（ワカサギ釣り用電動リール）
５  リール本体
２７  竿受け部（竿装着部）
３４  スプール
４４  電動モータ
４６  出力軸
７１  内部電源ハウジング
７３，７４  電極端子（外部接続端子）
７７  カバー部材（外装部材）
７７Ａ  カバー部材（更なるカバー部材）
７８  バッテリー（直接的な第１の給電手段）
７９  変圧器（間接的な第２の給電手段）
１００  外部接続端子
Ｓ  収容部
【図１】
2019030240.tif 000003
【図２】
2019030240.tif 000004
【図３】
2019030240.tif 000005
【図４】
2019030240.tif 000006
【図５】
2019030240.tif 000007
【図６】
2019030240.tif 000008
【図７】
2019030240.tif 000009
【図８】
2019030240.tif 000010
【図９】
2019030240.tif 000011
【図１０】
2019030240.tif 000012